(57)【要約】積み重ね可能なモジュール（２）は、電気／電子部品（６）を保持するために設けられたハウジング（４）と、支持レール（１０）に取り付けるためのクランプ装置（８）とを有し、クランプ装置（８）は２つのラッチ／グリップフック（１２）を有し、これらは開放位置と固定位置との間で互いに反対方向に変位可能であり、開放位置と固定位置との間でラッチ／グリップフック（１２）を調整するための力偏向機構（１４）をさらに有し、この機構（１４）は作動要素（２８）によって作動可能であり、外側からの作動力（ＳＦ）を受けることができる。この場合、ラッチ／グリップフック（１２）は、支持レール（１０）との固定および解除のため、提供された支持レール範囲（ＬＴ）よりも、開放位置では大きく固定位置では小さい自由開放距離（ｆＯ）だけ跳ね返る。この場合、作動要素側偏向プロファイル（３０）およびフック側変位部（１６）を有する力偏向機構（１４）が提供され、これはフック側変位を生じるために変位力（ＶＦ）によって変形可能な変形部分（２０）を有し、偏向プロファイル（３０）と変形部分（２０）との間には、摺動接触（ＧＫ）が形成可能であり、ここで変形部分（２０）は偏向プロファイル（３０）を介して変位力（ＶＦ）を受けることができる。【選択図】図１
2019500835.tif 000002
【特許請求の範囲】
【請求項１】
電気／電子部品（６）を保持するために設けられたハウジング（４）と、支持レール（１０）に取り付けるためのクランプ装置（８）とを備える積み重ね可能なモジュール（２）であって、
前記クランプ装置（８）は２つのラッチ／グリップフック（１２）を有し、前記２つのラッチ／グリップフック（１２）は開放位置と固定位置との間で互いに反対方向に変位可能であり、
前記開放位置と前記固定位置との間で前記ラッチ／グリップフック（１２）を調整するための力偏向機構（１４）であって、作動要素（２８）によって作動可能であり、外側からの作動力（ＳＦ）を受けることが可能である、力偏向機構（１４）をさらに備え、
前記ラッチ／グリップフック（１２）は、前記支持レール（１０）への固定および解除のため、提供された支持レールの大きさ（ＬＴ）よりも、前記開放位置では大きく、前記固定位置では小さい、自由開放距離（ｆＯ）を画定する、
積み重ね可能なモジュール（２）において、
前記力偏向機構（１４）は、作動要素側偏向プロファイル（３０）およびフック側変位部（１６）を有し、前記フック側変位部（１６）はフック側変位を生じるために変位力（ＶＦ）によって変形可能な変形部分（２０）を有し、前記偏向プロファイル（３０）と前記変形部分（２０）との間には、摺動接触（ＧＫ）が形成可能であり、前記摺動接触（ＧＫ）で前記変形部分（２０）は前記偏向プロファイル（３０）を介して前記変位力（ＶＦ）を受けることができる、
ことを特徴とする積み重ね可能なモジュール。
【請求項２】
前記変形部分（２０）は、前記ラッチ／グリップフック（１２）に接続された前記変位部（１６）の、支持セクション（２２）と移動セクション（１８）との間に設けられていることを特徴とする、請求項１に記載のモジュール。
【請求項３】
前記移動セクション（１８）は直線的に案内されることを特徴とする、請求項２に記載のモジュール。
【請求項４】
前記変形部分（２０）は、対になって配置された変形要素によって形成され、前記変形要素の間の距離は前記偏向プロファイル（３０）によって変化させることができることを特徴とする、請求項１から請求項３のいずれか一項に記載のモジュール。
【請求項５】
前記変形要素は、前記偏向プロファイル（３０）によって広げられることが可能な、互いに対向する２つの凸状接触面（２６）を有する２つの弾性バネ要素（２４）によって形成されることを特徴とする、請求項４に記載のモジュール。
【請求項６】
前記力偏向機構（１４）は、各々フック側変位部（１６）と相互作用する２つの作動要素側偏向プロファイル（３０）を有し、前記２つの作動要素側偏向プロファイル（３０）は関連する前記摺動接触（ＧＫ）を介して互いに反対の変形力（ＶＦ）を受けることができることを特徴とする、請求項１から請求項５のいずれか一項に記載のモジュール。
【請求項７】
前記力偏向機構（１４）は固定位置において予応力が印加されることを特徴とする、請求項６に記載のモジュール。
【請求項８】
前記フック側変位部（１６）は各々、関連する前記ラッチ／グリップフック（１２）と一体形成されていることを特徴とする、請求項６または請求項７に記載のモジュール。
【請求項９】
前記力偏向機構（１４）は、前記作動要素（２８）または前記２つの変位部（１６）と一体形成され、且つ前記ハウジング（４）に支持されるバネ装置（３６）によって予応力が印加されることを特徴とする、請求項８に記載のモジュール。
【請求項１０】
互いに対向する接触斜面（３８）が前記ラッチ／グリップフック（１２）に形成され、前記接触斜面（３８）を介して、前記開放位置において、前記固定位置の前記予応力と反対に、前記支持レール（１０）に対して前記ラッチ／グリップフック（１２）を押しつけることによって、前記ラッチ／グリップフック（１２）を広げることが可能であることを特徴とする、請求項７から請求項９のいずれか一項に記載のモジュール。
【請求項１１】
前記フック側変位部（１６）は前記ハウジング（４）に配置されることを特徴とする、請求項１から請求項１０のいずれか一項に記載のモジュール。
【請求項１２】
前記作動要素（２８）は、少なくとも前記固定位置において前記ハウジング（４）の上側（３５）から突出する操作セクション（３３）を有することを特徴とする、請求項１から請求項１１のいずれか一項に記載のモジュール。
【請求項１３】
前記作動要素（２８）は、前記操作セクション（３３）に沿って印加可能な前記作動力（ＳＦ）によって直線案内方向（ＦＲ）に沿って移動可能であることを特徴とする、請求項１２に記載のモジュール。
【請求項１４】
前記作動要素（２８）は、前記操作セクション（３３）に印加されるトルクによって軸の周りでねじることが可能であることを特徴とする、請求項１２に記載のモジュール。
【請求項１５】
直線案内手段（１００）が前記ハウジング（４）に設けられており、直線案内手段（１００）によって、前記ラッチ／グリップフック（１２）の前記開放距離（ｆＯ）に対して垂直な直線案内が可能になることを特徴とする、請求項１から請求項１４のいずれか一項に記載のモジュール。
【請求項１６】
前記案内手段（１００）は、直線案内方向（ＬＦ）に沿って延在する案内プロファイル（１０２）と、前記直線案内方向（ＬＦ）に沿って延在する案内ホルダ（１０４）とを有し、前記案内ホルダ（１０４）は、対応する案内手段（１００）を有する別のモジュール（２）の前記案内プロファイル（１０２）の案内されるハウジングのために形成されることを特徴とする、請求項１５に記載のモジュール。
【請求項１７】
前記案内プロファイル（１０２）は、前記直線案内方向（ＬＦ）に対して垂直に柔軟に移動する案内エッジ（１０６）を有することを特徴とする、請求項１６に記載のモジュール。
【請求項１８】
対になって配置された２つの案内プロファイル（１０２）および案内ホルダ（１０４）が前記ハウジング（４）に設けられていることを特徴とする、請求項１６または請求項１７に記載のモジュール。
【発明の詳細な説明】
【技術分野】
【０００１】
本発明は、請求項１の包括部分による、電気若しくは電子切替または制御ユニットなどの積み重ね可能なモジュールに関する。この積み重ね可能なモジュールは、電気／電子部品を受容するために設けられたハウジングと、モジュールを支持レールに取り付けるために使用されるクリップ式クランプ装置と、を有する。支持レールはいくつかのモジュールのアレイを捉えるためのトップハット型レールであってもよく、モジュールは、隣接したモジュールと電気的に接触するための手段を各々有してもよい。このために、クランプ装置は２つのラッチ／グリップフック（ラッチ／把持フック）を有し、２つのラッチ／グリップフックは開放位置と固定位置との間で互いに反対方向に変位可能である。また、開放位置と固定位置との間でラッチ／グリップフックを調整するための力偏向機構も存在しており、力偏向機構は作動要素によって作動可能であり、外側からの作動力を受けることが可能である。この場合、ラッチ／グリップフックは自由開放距離を画定し、この自由開放距離は、支持レールの固定および解除のため、固定のために設けられた支持レールの支持レールの大きさよりも、開放位置では大きく固定位置では小さい。その結果、ラッチ／グリップフックを、適切なサイズの支持レールに適切にラッチ留めまたは係合することができる。
【０００２】
このような積み重ね可能なモジュールは、たとえばスイッチングキャビネットのいくつかのモジュールのアレイを形成するときに、傾くことなく移動の直線方向で関連する支持レールへの簡単な取り付けを可能にする。これらのモジュールのうちの１つが再び取り外されるかまたは交換される場合、力偏向機構は、ラッチ／グリップフックを開放する外側からの作動力を受ける。このとき、ラッチ／グリップフック間の自由開放距離は、移動の直線方向に沿って傾くことなく支持レールからモジュールを取り外すことができるほど十分に大きい。
【背景技術】
【０００３】
２つの支持スライダによって支持レールに取付可能な積み重ね可能な装置が、特許文献１より公知である。上側に設けられた解除レバーによって、支持スライダは、支持レールに取り付けられた装置を取り外すことができるようにするために、支持位置から自由位置に移動することが可能である。解除レバーは、フィルムヒンジを介して接続され、二重膝関節を形成するいくつかのリンクを用いて、力偏向機構を介して２つの支持スライダに接続されている。
【０００４】
特許文献２はモジュールをレールに取り付けるための固定装置を示しており、２つのグリッパフックが各スライダに形成され、２つのグリッパフックらはコイルバネによってグリップ位置で予応力を受けている。両方のグリッパフックを開放位置に移動できるようにするため、両方のスライダと接触するねじり可能な作動要素に楕円形のプロファイル（外形部）が形成される。２つのスライダ間で楕円形のプロファイルの長い断面を移動させることにより、これらはコイルバネの力に対抗する開放位置まで移動され、そこで固定装置はレールから取り外し可能となる。
【０００５】
特許文献３は、トップハット型レールにモジュールを取り付けるための固定装置であって、上部グリップフックが直線方向に移動可能な作動要素と一体形成された固定装置を記載している。また、２つの旋回する下部フック要素の各々について１つの作動アームが作動要素にヒンジ接続されている。したがって作動要素を引っ張ることにより、上部グリッパを上に移動することが可能であり、固定装置を開放位置まで移動させるために下部フック要素を下方に旋回することが可能である。
【０００６】
特許文献４は、支持レール上に留めるためのモジュールハウジングを示しており、ここでは２つのスライダを備える一体型グリッパ装置が提供されており、その一体型グリッパ装置では、バネ要素が２つのスライダ間で効果を発揮する。バネ要素は、支持レールの後ろに係合するよう機能する２つのスライダに、グリッパ位置で互いに対抗するように予応力をかける。グリッパ装置の間隙内に楕円形のプロファイルを有する拡大ピンをねじることにより、２つのスライダをバネ力に対抗して開放位置まで移動可能となり、ここでモジュールハウジングを支持レールから取り外すことが可能となる。
【０００７】
既知の積み重ね可能な装置について不都合なことは、作動を繰り返した後、および／または長い耐用年数の後に力偏向機構はしばしば不具合を呈し、クランプ装置は支持レールからの取り外しが、できたとしても困難なことである。
【先行技術文献】
【特許文献】
【０００８】
【特許文献１】ＤＥ１９７０９８１１Ａ１
【特許文献２】ＤＥ６００３２５９５Ｔ２
【特許文献３】ＥＰ１６７２７４３Ｂ１
【特許文献４】ＥＰ１７４２３１５Ａ１
【発明の概要】
【発明が解決しようとする課題】
【０００９】
本発明の目的は、この種の積み重ね可能なモジュールにおける上述の不都合を回避すること、および長い耐用年数にわたるクランプ装置の無故障機能を保証することである。
【課題を解決するための手段】
【００１０】
この課題は、請求項１の特徴を有する積み重ね可能な装置によって解決される。これに関連して、力偏向機構は、作動要素側偏向プロファイル（作動要素側偏向外形部）と、フック側変位部と、を有し、フック側変位部は変位力によって変形可能な変形部分を有し、偏向プロファイルと変形部分との間では、摺動接触が形成されるかまたは形成可能である。この摺動接触において、変形部分は、偏向プロファイルを介して直接的に変位力を受けることが可能である。変位力は、変形部分の変形または伸長を発生させ、関連するラッチ／グリップフックが移動される。その結果、作動要素の関連する移動経路に応じて、正確に実行されるフック側変位が可能であり、その長さは予め規定されている。偏向プロファイルから変形部分への力の直接的な印加は、長い耐用年数にわたって力偏向機構およびクランプ装置の全体としての確実な機能を保証する。摺動接触を介して作動要素側からラッチ／グリップフック側に偏向力を伝達することにより、関連する部品を互いに分離して製造することができ、したがってその関連する機能および予期される機械的負荷に応じて成形（形状化）することが可能である。特には、作動要素側偏向プロファイルおよびフック側変位部を、互いに独立したサイズにすることもでき、および／または異なる材料から製造することもできる。このようにして、意図される耐用年数にわたって積み重ね可能なモジュールの無故障クランプおよび解除が保証されるよう、力偏向機構の個々の部品を形成することができる。また、意図される摺動接触は、クランプ装置全体の特に簡単な取付を可能にする。
【００１１】
ここで、支持セクションと、変位部の、ラッチ／グリップフックに接続された、移動セクションとの間に変形部分が配置される場合、特に有益である。その結果、変位部を、支持セクションを介して安定した位置に、たとえばモジュールハウジングに、保持することができ、その一方で移動セクションを、変形部分を介して移動することができる。これにより、移動セクションの調整の間、変位部の望ましくない屈曲を防止することができる。
【００１２】
有益には、移動セクションが直線的に案内され、これにより開放位置から固定位置へ、およびその反対への高速で安定した変遷を可能にする。
【００１３】
対になって配置された変形要素によって変形部分が形成される場合に、変形要素の間の距離を偏向プロファイルによって変化させることができることも有益である。対になった変形要素のこの構成のおかげで、移動セクションを支持セクションと比較して特に安定して保持および維持することが可能である。
【００１４】
好ましくは、変形要素は、偏向プロファイルを用いることで離れるように広げられ得る互いに対向する凸状接触面を有する２つの弾性バネ要素によって形成される。このようにして、特に堅牢に動作し、特に安価に製造可能な力偏向機構が製造入手可能となる。
【００１５】
力偏向機構がフック側変位部と各々相互作用する２つの作動要素側偏向プロファイルを有する場合は常に有益であり、これらは関連する摺動接触を介して互いに反対に変形力を受けることができる。このようにして、開放空間を縮小または拡大するために同時に反対方向に、力偏向機構を介して作動要素側偏向プロファイルに接続されたフック側変位部またはラッチ／グリップフックを移動させることが可能である。これに関連して、関連する支持レールへの取付後、モジュールの安定した固定を保証するために、力偏向機構が固定位置で予め応力印加されている場合に有益である。
【００１６】
その際に、関連する支持レールへの取付後、所定位置でのモジュールの安定した固定を保証するために、力偏向機構が固定位置で予め引張力を加えられているなら有利である。
【００１７】
フック側変形部は、好ましくは割り当てられたラッチ／グリップフックと一体形成され、これにより、力の直接的な伝達を保証し、こうして関連する支持レールへの特に安定した取付を可能にする。
【００１８】
また、作動要素または２つの変位部と一体形成され、ハウジングに支持されたバネ装置によって、力偏向機構に予応力が印加されることも有益である。その結果、力偏向機構およびクランプ装置を、全体としておよびわずか数個の部品から安価に製造することができ、特に簡単に取り付けることができる。
【００１９】
特に有益な形態では、互いに対向する接触斜面がラッチ／グリップフックに形成され、接触斜面を介して、固定位置の予応力印加と反対に、開放位置において支持レールに対してラッチ／グリップフックを押圧することによって、ラッチ／グリップフックを広げることができる。その結果、固定位置に配置されたラッチ／グリップフックを開放位置まで単に押圧することによってクランプ装置を開放位置まで移動することが可能であり、したがってモジュールは、直線移動方向に沿って傾くことなく支持体に特に都合よく固定される。
【００２０】
また、特にモジュールが支持レールに対して押圧されたときに、フック側変形部分の安定した案内を保証するために、フック側変位部がハウジングに保持されるなら、好ましいことである。
【００２１】
さらに、作動要素が、少なくとも固定位置においてハウジングの上側から突出する操作セクションを有するなら有益である。その結果、開放位置のラッチ／グリップフックを移動させて支持レールから再びモジュールを解放できるようにするためにモジュールが固定されているときであっても、作動要素は支持レールに容易にアクセス可能である。
【００２２】
好ましくは、作動要素を操作セクションに印加される作動力によって、直線案内方向に沿って移動することが可能である。これは、牽引力または圧力を印加することによって、力偏向機構の簡単な作動を可能にする。
【００２３】
代替的に、操作セクションにトルクを印加することによって、作動要素を軸の周りでねじることができる。作動要素のねじり可能な形態により、固定位置から開放位置への特に便利な切替、およびクランプ装置の特にコンパクトな構造が可能になる。
【００２４】
積み重ね可能なモジュールの特に有益な形態では、直線案内手段がハウジングに設けられ、直線案内手段により、クランプ装置に対してまたはラッチ／グリップフックの開放間隙に対して垂直な直線案内がなされ得る。その結果、たとえば、正確に垂直な方向で関連するトップハット型レールに載置可能なように、すでに固定されているモジュールに沿って第２のモジュールを誘導することが可能である。
【００２５】
このために、案内手段は好ましくは、直線案内方向に沿って延在する案内プロファイルと、直線案内方向に沿って延在する案内ホルダとを有する。案内ホルダのサイズおよび形状は、案内ホルダが別のモジュールの案内プロファイルを案内する際に受容するように、設計されている。その結果、積み重ね可能なモジュールの各々は、取り付けられている間、安全に案内され得るように、そして取り付けられたら安全ガイドとして作用できるように、形成することができる。
【００２６】
案内プロファイルが、直線案内方向に対して垂直に柔軟に移動可能である案内エッジを有するなら、特に有益である。その結果、案内手段は同時にラッチ手段として作用することも可能であり、それは直線案内方向に対して垂直な２つの隣接したモジュールのラッチ留めを可能にする。その結果、たとえばトップハット型レールにすでに保持されている２つのモジュールは、その側面を互いに押しつけることによって、互いにラッチ留めされることが可能である。
【００２７】
好ましくは、対になってハウジングに配置された２つの案内プロファイルおよび案内ホルダが存在し、関連するモジュール間の特に正確な直線案内または特に安定したラッチ接続が可能である。
【００２８】
尚、上述の発明による対象の特徴の全ては、その置き換えまたは組み合わせが技術的な理由により除外されなければ、単独でまたは組み合わせて互いに置き換えまたは組み合わせが可能であることは、注目されるべきである。
【００２９】
図面は本発明の例示的な形態を示す。これらは以下の通りである。
【図面の簡単な説明】
【００３０】
【図１】固定位置における、本発明による積み重ね可能なモジュールの斜視図である。
【図２】図１による積み重ね可能なモジュールの力偏向機構の前面斜視図である。
【図３】図２による力偏向機構の背面の斜視図である。
【図４】固定位置における、図３による力偏向機構の背面の上面図である。
【図５】開放位置における、図３による力偏向機構の裏面の上面図である。
【図６Ａ】支持レールから解除されているときの、図１による積み重ね可能なモジュールの正面図である。
【図６Ｂ】図６Ａによる積み重ね可能なモジュールの側面図である。
【図７Ａ】支持レールへの取付状態にある、積み重ね可能なモジュールの正面図である。
【図７Ｂ】図７Ａによる積み重ね可能なモジュールの側面図である。
【図８】ねじり可能な作動要素を有する力偏向機構の代替形態の斜視図である。
【図９】直線案内手段を有する積み重ね可能なモジュールの別の代替形態の斜視図である。
【図１０Ａ】直線案内手段の高さ方向における、図９によるモジュールのハウジングを通る断面図である。
【図１０Ｂ】図１０Ａの詳細Ｘの拡大図である。
【図１１Ａ】図９による、隣の案内されるモジュールの上面図である。
【図１１Ｂ】完全取付状態にある、図１１Ａによるモジュールの上面図である。
【図１２Ａ】固定されているが分離した状態にある、図９による２つのモジュールの上面図である。
【図１２Ｂ】ラッチ留めされた状態にある、図１２Ａによるモジュールの上面図である。
【発明を実施するための形態】
【００３１】
図１は、電気若しくは電子切替または制御ユニットの形態の積み重ね可能なモジュール２を示す。これは、少なくとも１つの電気／電子部品６が収容されるハウジング４を有する。加えて、モジュール２を支持レール１０に固定するために使用されるクランプ装置８が、ハウジング４に設けられている。クランプ装置８は、たとえば「トップハット型レール」の形状の、特定の標準的な市場で入手可能なモデルの支持レール１０にモジュール２が固定可能となるような形状である。
【００３２】
クランプ装置８は、このために２つのラッチ／グリップフック１２を有し、これを用いて、支持レール１０は互いに離間して対向する２つのエッジＲによって包囲されることが可能である。ラッチ／グリップフック１２を、図１に示されるように、力偏向機構１４によって固定位置から開放位置へ、およびその反対に、移動することできる。
【００３３】
これに関連して、力偏向機構１４は、特に図２および図３に見られるように、２つのフック側変位部１６を有しており、２つのフック側変位部１６の各々にラッチ／グリップフック１２が設けられている。これに関連して、変位部１６は、たとえば関連するラッチ／グリップフック１２と一体に形成されるか、または安定した接続を有することが可能である。ラッチ／グリップフック１２は、常に変位部１６の移動セクション１８に接続されており、移動セクション１８は変形部分２０によって変位部１６の支持セクション２２に保持されている。支持セクション２２は、ハウジング４またはハウジング４に永久的に接続された部品に各々固定されており、一方で移動セクション１８は、ハウジング４を介して直線的に移動および案内され得る。
【００３４】
変形部分２０は、特に図４および図５に見られるように、２つの弓形のバネ要素２４を有し、これらバネ要素２４は互いに対向する２つの凸状接触面２６を形成する。
【００３５】
また、力偏向機構１４は、各々が１対のバネ要素２４と相互作用する２つの作動要素側偏向プロファイル３０が設けられた、長尺な作動要素２８を有する。このために、偏向プロファイル３０は各々、作動要素２８の長手方向にテーパする輪郭（外形）３２を形成しており、輪郭３２の両側はフック側変位部１６の関連する凸状接触面２６と摺動接触（ＧＫ）することが可能となっている。
【００３６】
さらに、作動要素２８の一端に操作セクション３３が設けられ、操作セクション３３には、たとえばネジ回しなどの適切な工具が係合する嵌合凹部３４が嵌め込まれている。このために、作動要素２８の取付状態において、操作セクション３３はハウジング４の１つの上側３５から突出している（図１参照）。
【００３７】
操作セクション３３を介して、ハウジング４によって予め規定されている案内方向ＦＲに沿って作動力ＳＦを印加することによって作動要素３４を移動させることができる。図５に示されるように、作動要素側偏向プロファイル３０の大きなくさび形の輪郭３２は、関連する変形部分２０の２つのバネ要素２４の間を移動し、バネ要素２４は、偏向プロファイル３０のくさび形の輪郭３２との摺動接触ＧＫの結果としてますます広げられる。
【００３８】
２つの変位部１６の支持セクション２２はハウジング４に固定されているので、移動セクション１８は、バネ要素２４の間の拡大する間隙により、関連する支持セクション２２から直線的に離れるように移動させられ、移動セクション１８に保持されているラッチ／グリップフック１２も、図６Ａに示されるように、互いに離れるように開放位置に移動させられる。
【００３９】
ここで、図６Ｂに見られるように、ラッチ／グリップフック１２は、支持レール１０の長さ（ストレッチ）ＬＴよりもわずかに大きい、開放位置での長さＬｏを有する、自由開口間隙ｆＯを制限する。その結果、モジュール２は、支持レール１０に対する垂線Ｎに沿って直線方向にクランプ装置８の開放位置において、図６Ｂに示されるように、クランプ装置８から取り外されるかまたはクランプ装置８に配置されることが可能である。
【００４０】
作動要素２８が作動力ＳＦを受けない場合、対照的に、ラッチ／グリップフック１２は、自由開口間隙ｆＯが支持レール１０の長さＬＴよりも小さい長さＬｂである、図７Ａによるバネ力Ｆの結果として、固定位置で保持される。モジュール２が図７Ａに示すように支持レール１０に取り付けられると、その結果としてラッチ／グリップフック１２は固定位置でエッジＲを包囲し、こうしてモジュール２は支持レール１０に強固にクランプされる。
【００４１】
こうして、図１に示すように、ハウジング４またはハウジング４に永久的に固定された部品と関連するラッチ／グリップフック１２との間に配置され、固定位置に向けてラッチ／グリップフック１２に予応力（プレストレス）を印加する関連するバネ装置３６によって、バネ力Ｆが両方のラッチ／グリップフック１２に発生する。
【００４２】
また、モジュール２も操作セクション３３を介して、作動要素２８に力を加えることなく支持レール１０に固定され得る。このために、図７Ｂによるクランプ装置８は、ラッチ／グリップフック１２が２つのエッジＲのうちの１つでラッチ／グリップフック１２によって成形された接触斜面３８と接触するように、支持レール１０に配置される。その後、接触斜面３８を介してラッチ／グリップフック１２に印加されるバネ装置３６のバネ力Ｆに打ち勝つのに十分な接触圧力Ｂを印加することによって、ラッチ／グリップフック１２は予応力に対抗して開放位置に押圧され得る。こうしてラッチ／グリップフック１２は、バネ装置３６の復元力の結果として、支持レール１０のエッジＲを通過し、その後、支持レール１０のエッジＲの後に係合することができる。このようにして、垂線方向Ｎに沿ってまっすぐに支持レール１０にモジュール２を押すことによるその取付は、工具を用いずに可能である。
【００４３】
図８に示されるように、クランプ装置８の別の形態における力偏向機構１４は軸状の作動要素２８を有し、作動要素２８に、互いに反対に向いた２つの偏心カム７０によって、作動要素側偏向プロファイル３０が形成される。作動要素２８をねじることにより、偏心カム７０は、変位力ＶＦによって広げられて変位部１６に保持されたラッチ／グリップフック１２（図示せず）が開放位置または固定位置に移動されるよう、図２から図５による形態と一致するフック側変位部１６の２つの接触面２６と摺動接触ＧＫさせられることが可能である。
【００４４】
作動要素２８のねじり可能な形態は別として、このような力偏向機構の機能は、図６および図７による形態の機能に対応する。
【００４５】
図１から図７または図８によるモジュール２の形態において、力偏向機構１４の発展が提供可能であり、これにより、示された機能の代替として、モジュール２を作動要素２８に圧力を印加することによって固定位置から開放位置（図示せず）まで移動させることができる。
【００４６】
図９は、ハウジング４に直線案内手段１００が設けられた、積み重ね可能なモジュール２の別の形態を示す。これらの直線案内手段１００によって、クランプ装置８に対してまたは２つのラッチ／グリップフック１２の間の開放間隙１１に対して垂直な、直線案内方向ＬＦに沿った２つのモジュール２の相互移動が可能である。
【００４７】
このために、直線案内手段１００は、直線案内方向ＬＦに沿って各々伸長する、対になって配置された案内プロファイル１０２を有する。また、ハウジング４２の両側面の、案内プロファイル１０２から離れる方向に向いた一方には、対になって配置された案内ホルダ１０４が設けられている。これらの案内ホルダ１０４は、図１０Ａおよび図１０Ｂに示されるように、別の積み重ね可能なモジュール２の案内プロファイル１０２を案内して受容できるようなサイズおよび形状になっている。
【００４８】
これに関連して、案内プロファイル１０２は、直線案内方向ＬＦに対して垂直に柔軟に旋回可能な案内エッジ１０６を有するように形成され得る（図９参照）。
【００４９】
図１１Ａに示されるように、こうして第１のモジュール２は、たとえば矢印Ｓによって示されるように、支持レール１０にすでに固定されている第２のモジュール２の後に押し込まれることが可能である。これに関連して、外れているモジュール２の案内プロファイル１０２は、固定されたモジュール２の案内ホルダ１０４と係合し、案内ホルダ１０４によって正確に直線案内方向ＬＲに、支持レール１０に対して垂直に案内される。図１１Ｂに示されるように、外れているモジュール２のクランプ装置８が支持レール１０に強固にクランプするまで、外れているモジュール２はその後ずっと直線案内方向ＬＦに移動される。
【００５０】
案内プロファイル１０２が柔軟に旋回可能な案内エッジ１０６を有して形成される場合、図１２Ａ、図１２Ｂに示されるように、積み重ね可能なモジュール２が支持レール１０に固定される前または後に２つの積み重ね可能なモジュール２を互いに係合させることもまた、可能である。このために、２つのモジュール２は、図１２Ａの矢印Ｄによって示されるように、側方から互いに対して押しつけられる。一方のモジュール２の関連する案内プロファイル１０２が他方のモジュール２のハウジング４と接触するとすぐに、案内プロファイル１０２は広げられ、その後他方のモジュール２の関連する案内ホルダ１０４内にラッチ留めされる。これに応じて、モジュール２はその後、図１２Ｂによる完全な取付位置を取る。
【００５１】
上述の取付プロセスの両方で２つのモジュール２間における電気的／電子的接触を保証するために、２つのモジュール２はハウジング４の両方の接触側面ＡＳに接触手段１０８を有することができる、これらはバネ受け（バネベアリング）であってもよい。その結果、直線案内方向ＬＦおよび垂直方向の両方で、２つのモジュール２の間における電気的／電子的接触が確立できる。
【００５２】
尚、上述の発明による様々な形態の要素および特徴の全ては、その置き換えまたは組み合わせが技術的な理由により除外されなければ、単独でまたは組み合わせて置き換えまたは組み合わせが可能であることは、指摘されるべきである。
【図１】
2019500835.tif 000003
【図２】
2019500835.tif 000004
【図３】
2019500835.tif 000005
【図４】
2019500835.tif 000006
【図５】
2019500835.tif 000007
【図６Ａ】
2019500835.tif 000008
【図６Ｂ】
2019500835.tif 000009
【図７Ａ】
2019500835.tif 000010
【図７Ｂ】
2019500835.tif 000011
【図８】
2019500835.tif 000012
【図９】
2019500835.tif 000013
【図１０Ａ】
2019500835.tif 000014
【図１０Ｂ】
2019500835.tif 000015
【図１１Ａ】
2019500835.tif 000016
【図１１Ｂ】
2019500835.tif 000017
【図１２Ａ】
2019500835.tif 000018
【図１２Ｂ】
2019500835.tif 000019
【手続補正書】
【提出日】平成30年8月29日(2018.8.29)
【手続補正１】
【補正対象書類名】明細書
【補正対象項目名】全文
【補正方法】変更
【補正の内容】
【発明の詳細な説明】
【技術分野】
【０００１】
本発明は、請求項１の包括部分による、電気若しくは電子切替または制御ユニットなどの積み重ね可能なモジュールに関する。この積み重ね可能なモジュールは、電気／電子部品を受容するために設けられたハウジングと、モジュールを支持レールに取り付けるために使用されるクリップ式クランプ装置と、を有する。支持レールはいくつかのモジュールのアレイを捉えるためのトップハット型レールであってもよく、モジュールは、隣接したモジュールと電気的に接触するための手段を各々有してもよい。このために、クランプ装置は２つのラッチ／グリップフック（ラッチ／把持フック）を有し、２つのラッチ／グリップフックは開放位置と固定位置との間で互いに反対方向に変位可能である。また、開放位置と固定位置との間でラッチ／グリップフックを調整するための力偏向機構も存在しており、力偏向機構は作動要素によって作動可能であり、外側からの作動力を受けることが可能である。この場合、ラッチ／グリップフックは自由開放距離を画定し、この自由開放距離は、支持レールの固定および解除のため、固定のために設けられた支持レールの支持レールの大きさよりも、開放位置では大きく固定位置では小さい。その結果、ラッチ／グリップフックを、適切なサイズの支持レールに適切にラッチ留めまたは係合することができる。
【０００２】
このような積み重ね可能なモジュールは、たとえばスイッチングキャビネットのいくつかのモジュールのアレイを形成するときに、傾くことなく移動の直線方向で関連する支持レールへの簡単な取り付けを可能にする。これらのモジュールのうちの１つが再び取り外されるかまたは交換される場合、力偏向機構は、ラッチ／グリップフックを開放する外側からの作動力を受ける。このとき、ラッチ／グリップフック間の自由開放距離は、移動の直線方向に沿って傾くことなく支持レールからモジュールを取り外すことができるほど十分に大きい。
【背景技術】
【０００３】
特許文献１は、電子／電気部品を保持するために設けられたハウジングと、支持レールに取り付けるためのクランプ装置とを備えた積み重ね可能なモジュールを公開している。クランプ装置は二つのラッチ／グリップフックを有し、二つのラッチ／グリップフックは開放位置と固定位置との間でラッチ／グリップフックを調整するために、開放位置と固定位置との間を相互に反対方向に変位可能である。この機構は、外側からの作動力を受けることができる作動要素によって作動可能である。
【０００４】
２つの支持スライダによって支持レールに取付可能な積み重ね可能な装置が、特許文献２より公知である。上側に設けられた解除レバーによって、支持スライダは、支持レールに取り付けられた装置を取り外すことができるようにするために、支持位置から自由位置に移動することが可能である。解除レバーは、フィルムヒンジを介して接続され、二重膝関節を形成するいくつかのリンクを用いて、力偏向機構を介して２つの支持スライダに接続されている。
【０００５】
特許文献３はモジュールをレールに取り付けるための固定装置を示しており、２つのグリッパフックが各スライダに形成され、２つのグリッパフックらはコイルバネによってグリップ位置で予応力を受けている。両方のグリッパフックを開放位置に移動できるようにするため、両方のスライダと接触するねじり可能な作動要素に楕円形のプロファイル（外形部）が形成される。２つのスライダ間で楕円形のプロファイルの長い断面を移動させることにより、これらはコイルバネの力に対抗する開放位置まで移動され、そこで固定装置はレールから取り外し可能となる。
【０００６】
特許文献４は、トップハット型レールにモジュールを取り付けるための固定装置であって、上部グリップフックが直線方向に移動可能な作動要素と一体形成された固定装置を記載している。また、２つの旋回する下部フック要素の各々について１つの作動アームが作動要素にヒンジ接続されている。したがって作動要素を引っ張ることにより、上部グリッパを上に移動することが可能であり、固定装置を開放位置まで移動させるために下部フック要素を下方に旋回することが可能である。
【０００７】
特許文献５は、支持レール上に留めるためのモジュールハウジングを示しており、ここでは２つのスライダを備える一体型グリッパ装置が提供されており、その一体型グリッパ装置では、バネ要素が２つのスライダ間で効果を発揮する。バネ要素は、支持レールの後ろに係合するよう機能する２つのスライダに、グリッパ位置で互いに対抗するように予応力をかける。グリッパ装置の間隙内に楕円形のプロファイルを有する拡大ピンをねじることにより、２つのスライダをバネ力に対抗して開放位置まで移動可能となり、ここでモジュールハウジングを支持レールから取り外すことが可能となる。
【０００８】
既知の積み重ね可能な装置について不都合なことは、作動を繰り返した後、および／または長い耐用年数の後に力偏向機構はしばしば不具合を呈し、クランプ装置は支持レールからの取り外しが、できたとしても困難なことである。
【先行技術文献】
【特許文献】
【０００９】
【特許文献１】ＵＳ２００７／００８７０８Ａ１
【特許文献２】ＤＥ１９７０９８１１Ａ１
【特許文献３】ＤＥ６００３２５９５Ｔ２
【特許文献４】ＥＰ１６７２７４３Ｂ１
【特許文献５】ＥＰ１７４２３１５Ａ１
【発明の概要】
【発明が解決しようとする課題】
【００１０】
本発明の目的は、この種の積み重ね可能なモジュールにおける上述の不都合を回避すること、および長い耐用年数にわたるクランプ装置の無故障機能を保証することである。
【課題を解決するための手段】
【００１１】
この課題は、請求項１の特徴を有する積み重ね可能な装置によって解決される。これに関連して、力偏向機構は、作動要素側偏向プロファイル（作動要素側偏向外形部）と、フック側変位部と、を有し、フック側変位部は変位力によって変形可能な変形部分を有し、偏向プロファイルと変形部分との間では、摺動接触が形成されるかまたは形成可能である。この摺動接触において、変形部分は、偏向プロファイルを介して直接的に変位力を受けることが可能である。変位力は、変形部分の変形または伸長を発生させ、関連するラッチ／グリップフックが移動される。その結果、作動要素の関連する移動経路に応じて、正確に実行されるフック側変位が可能であり、その長さは予め規定されている。偏向プロファイルから変形部分への力の直接的な印加は、長い耐用年数にわたって力偏向機構およびクランプ装置の全体としての確実な機能を保証する。摺動接触を介して作動要素側からラッチ／グリップフック側に偏向力を伝達することにより、関連する部品を互いに分離して製造することができ、したがってその関連する機能および予期される機械的負荷に応じて成形（形状化）することが可能である。特には、作動要素側偏向プロファイルおよびフック側変位部を、互いに独立したサイズにすることもでき、および／または異なる材料から製造することもできる。このようにして、意図される耐用年数にわたって積み重ね可能なモジュールの無故障クランプおよび解除が保証されるよう、力偏向機構の個々の部品を形成することができる。また、意図される摺動接触は、クランプ装置全体の特に簡単な取付を可能にする。
【００１２】
ここで、支持セクションと、変位部の、ラッチ／グリップフックに接続された、移動セクションとの間に変形部分が配置される場合、特に有益である。その結果、変位部を、支持セクションを介して安定した位置に、たとえばモジュールハウジングに、保持することができ、その一方で移動セクションを、変形部分を介して移動することができる。これにより、移動セクションの調整の間、変位部の望ましくない屈曲を防止することができる。
【００１３】
有益には、移動セクションが直線的に案内され、これにより開放位置から固定位置へ、およびその反対への高速で安定した変遷を可能にする。
【００１４】
対になって配置された変形要素によって変形部分が形成される場合に、変形要素の間の距離を偏向プロファイルによって変化させることができることも有益である。対になった変形要素のこの構成のおかげで、移動セクションを支持セクションと比較して特に安定して保持および維持することが可能である。例えば、変形要素は、偏向プロファイルを用いることで離れるように広げられ得る互いに対向する凸状接触面を有する２つの弾性バネ要素によって形成される。このようにして、特に堅牢に動作し、特に安価に製造可能な力偏向機構が製造入手可能となる。
【００１５】
力偏向機構がフック側変位部と各々相互作用する２つの作動要素側偏向プロファイルを有する場合は常に有益であり、これらは関連する摺動接触を介して互いに反対に変形力を受けることができる。このようにして、開放空間を縮小または拡大するために同時に反対方向に、力偏向機構を介して作動要素側偏向プロファイルに接続されたフック側変位部またはラッチ／グリップフックを移動させることが可能である。これに関連して、関連する支持レールへの取付後、モジュールの安定した固定を保証するために、力偏向機構が固定位置で予め応力印加されている場合に有益である。
【００１６】
フック側変形部は、好ましくは割り当てられたラッチ／グリップフックと一体形成され、これにより、力の直接的な伝達を保証し、こうして関連する支持レールへの特に安定した取付を可能にする。これに関連して、作動要素または２つの変位部と一体形成され、ハウジングに支持されたバネ装置によって、力偏向機構に予応力が印加されることも有益である。その結果、力偏向機構およびクランプ装置を、全体としておよびわずか数個の部品から安価に製造することができ、特に簡単に取り付けることができる。
【００１７】
特に有益な形態では、互いに対向する接触斜面がラッチ／グリップフックに形成され、接触斜面を介して、固定位置の予応力印加と反対に、開放位置において支持レールに対してラッチ／グリップフックを押圧することによって、ラッチ／グリップフックを広げることができる。その結果、固定位置に配置されたラッチ／グリップフックを開放位置まで単に押圧することによってクランプ装置を開放位置まで移動することが可能であり、したがってモジュールは、直線移動方向に沿って傾くことなく支持体に特に都合よく固定される。
【００１８】
また、特にモジュールが支持レールに対して押圧されたときに、フック側変形部分の安定した案内を保証するために、フック側変位部がハウジングに保持されるなら、好ましいことである。
【００１９】
さらに、作動要素が、少なくとも固定位置においてハウジングの上側から突出する操作セクションを有するなら有益である。その結果、開放位置のラッチ／グリップフックを移動させて支持レールから再びモジュールを解放できるようにするためにモジュールが固定されているときであっても、作動要素は支持レールに容易にアクセス可能である。
【００２０】
好ましくは、作動要素を操作セクションに印加される作動力によって、直線案内方向に沿って移動することが可能である。これは、牽引力または圧力を印加することによって、力偏向機構の簡単な作動を可能にする。
【００２１】
代替的に、操作セクションにトルクを印加することによって、作動要素を軸の周りでねじることができる。作動要素のねじり可能な形態により、固定位置から開放位置への特に便利な切替、およびクランプ装置の特にコンパクトな構造が可能になる。
【００２２】
積み重ね可能なモジュールの特に有益な形態では、直線案内手段がハウジングに設けられ、直線案内手段により、クランプ装置に対してまたはラッチ／グリップフックの開放間隙に対して垂直な直線案内がなされ得る。その結果、たとえば、正確に垂直な方向で関連するトップハット型レールに載置可能なように、すでに固定されているモジュールに沿って第２のモジュールを誘導することが可能である。
【００２３】
このために、案内手段は好ましくは、直線案内方向に沿って延在する案内プロファイルと、直線案内方向に沿って延在する案内ホルダとを有する。案内ホルダのサイズおよび形状は、案内ホルダが別のモジュールの案内プロファイルを案内する際に受容するように、設計されている。その結果、積み重ね可能なモジュールの各々は、取り付けられている間、安全に案内され得るように、そして取り付けられたら安全ガイドとして作用できるように、形成することができる。
【００２４】
案内プロファイルが、直線案内方向に対して垂直に柔軟に移動可能である案内エッジを有するなら、特に有益である。その結果、案内手段は同時にラッチ手段として作用することも可能であり、それは直線案内方向に対して垂直な２つの隣接したモジュールのラッチ留めを可能にする。その結果、たとえばトップハット型レールにすでに保持されている２つのモジュールは、その側面を互いに押しつけることによって、互いにラッチ留めされることが可能である。
【００２５】
好ましくは、対になってハウジングに配置された２つの案内プロファイルおよび案内ホルダが存在し、関連するモジュール間の特に正確な直線案内または特に安定したラッチ接続が可能である。
【００２６】
尚、上述の発明による対象の特徴の全ては、その置き換えまたは組み合わせが技術的な理由により除外されなければ、単独でまたは組み合わせて互いに置き換えまたは組み合わせが可能であることは、注目されるべきである。
【００２７】
図面は本発明の例示的な形態を示す。これらは以下の通りである。
【図面の簡単な説明】
【００２８】
【図１】固定位置における、本発明による積み重ね可能なモジュールの斜視図である。
【図２】図１による積み重ね可能なモジュールの力偏向機構の前面斜視図である。
【図３】図２による力偏向機構の背面の斜視図である。
【図４】固定位置における、図３による力偏向機構の背面の上面図である。
【図５】開放位置における、図３による力偏向機構の裏面の上面図である。
【図６Ａ】支持レールから解除されているときの、図１による積み重ね可能なモジュールの正面図である。
【図６Ｂ】図６Ａによる積み重ね可能なモジュールの側面図である。
【図７Ａ】支持レールへの取付状態にある、積み重ね可能なモジュールの正面図である。
【図７Ｂ】図７Ａによる積み重ね可能なモジュールの側面図である。
【図８】ねじり可能な作動要素を有する力偏向機構の代替形態の斜視図である。
【図９】直線案内手段を有する積み重ね可能なモジュールの別の代替形態の斜視図である。
【図１０Ａ】直線案内手段の高さ方向における、図９によるモジュールのハウジングを通る断面図である。
【図１０Ｂ】図１０Ａの詳細Ｘの拡大図である。
【図１１Ａ】図９による、隣の案内されるモジュールの上面図である。
【図１１Ｂ】完全取付状態にある、図１１Ａによるモジュールの上面図である。
【図１２Ａ】固定されているが分離した状態にある、図９による２つのモジュールの上面図である。
【図１２Ｂ】ラッチ留めされた状態にある、図１２Ａによるモジュールの上面図である。
【発明を実施するための形態】
【００２９】
図１は、電気若しくは電子切替または制御ユニットの形態の積み重ね可能なモジュール２を示す。これは、少なくとも１つの電気／電子部品６が収容されるハウジング４を有する。加えて、モジュール２を支持レール１０に固定するために使用されるクランプ装置８が、ハウジング４に設けられている。クランプ装置８は、たとえば「トップハット型レール」の形状の、特定の標準的な市場で入手可能なモデルの支持レール１０にモジュール２が固定可能となるような形状である。
【００３０】
クランプ装置８は、このために２つのラッチ／グリップフック１２を有し、これを用いて、支持レール１０は互いに離間して対向する２つのエッジＲによって包囲されることが可能である。ラッチ／グリップフック１２を、図１に示されるように、力偏向機構１４によって固定位置から開放位置へ、およびその反対に、移動することできる。
【００３１】
これに関連して、力偏向機構１４は、特に図２および図３に見られるように、２つのフック側変位部１６を有しており、２つのフック側変位部１６の各々にラッチ／グリップフック１２が設けられている。これに関連して、変位部１６は、たとえば関連するラッチ／グリップフック１２と一体に形成されるか、または安定した接続を有することが可能である。ラッチ／グリップフック１２は、常に変位部１６の移動セクション１８に接続されており、移動セクション１８は変形部分２０によって変位部１６の支持セクション２２に保持されている。支持セクション２２は、ハウジング４またはハウジング４に永久的に接続された部品に各々固定されており、一方で移動セクション１８は、ハウジング４を介して直線的に移動および案内され得る。
【００３２】
変形部分２０は、特に図４および図５に見られるように、２つの弓形のバネ要素２４を有し、これらバネ要素２４は互いに対向する２つの凸状接触面２６を形成する。
【００３３】
また、力偏向機構１４は、各々が１対のバネ要素２４と相互作用する２つの作動要素側偏向プロファイル３０が設けられた、長尺な作動要素２８を有する。このために、偏向プロファイル３０は各々、作動要素２８の長手方向にテーパする輪郭（外形）３２を形成しており、輪郭３２の両側はフック側変位部１６の関連する凸状接触面２６と摺動接触（ＧＫ）することが可能となっている。
【００３４】
さらに、作動要素２８の一端に操作セクション３３が設けられ、操作セクション３３には、たとえばネジ回しなどの適切な工具が係合する嵌合凹部３４が嵌め込まれている。このために、作動要素２８の取付状態において、作動要素２８の操作セクション３３はハウジング４の１つの上側３５から突出している（図１参照）。
【００３５】
操作セクション３３を介して、ハウジング４によって予め規定されている案内方向ＦＲに沿って作動力ＳＦを印加することによって作動要素３４を移動させることができる。図５に示されるように、作動要素側偏向プロファイル３０の大きなくさび形の輪郭３２は、関連する変形部分２０の２つのバネ要素２４の間を移動し、バネ要素２４は、偏向プロファイル３０のくさび形の輪郭３２との摺動接触ＧＫの結果としてますます広げられる。
【００３６】
２つの変位部１６の支持セクション２２はハウジング４に固定されているので、移動セクション１８は、バネ要素２４の間の拡大する間隙により、関連する支持セクション２２から直線的に離れるように移動させられ、移動セクション１８に保持されているラッチ／グリップフック１２も、図６Ａに示されるように、互いに離れるように開放位置に移動させられる。
【００３７】
ここで、図６Ｂに見られるように、ラッチ／グリップフック１２は、支持レール１０の長さ（ストレッチ）ＬＴよりもわずかに大きい、開放位置での長さＬｏを有する、自由開口間隙ｆＯを制限する。その結果、モジュール２は、支持レール１０に対する垂線Ｎに沿って直線方向にクランプ装置８の開放位置において、図６Ｂに示されるように、クランプ装置８から取り外されるかまたはクランプ装置８に配置されることが可能である。
【００３８】
作動要素２８が作動力ＳＦを受けない場合、対照的に、ラッチ／グリップフック１２は、自由開口間隙ｆＯが支持レール１０の長さＬＴよりも小さい長さＬｂである、図７Ａによるバネ力Ｆの結果として、固定位置で保持される。モジュール２が図７Ａに示すように支持レール１０に取り付けられると、その結果としてラッチ／グリップフック１２は固定位置でエッジＲを包囲し、こうしてモジュール２は支持レール１０に強固にクランプされる。
【００３９】
こうして、図１に示すように、ハウジング４またはハウジング４に永久的に固定された部品と関連するラッチ／グリップフック１２との間に配置され、固定位置に向けてラッチ／グリップフック１２に予応力（プレストレス）を印加する関連するバネ装置３６によって、バネ力Ｆが両方のラッチ／グリップフック１２に発生する。
【００４０】
また、モジュール２も操作セクション３３を介して、作動要素２８に力を加えることなく支持レール１０に固定され得る。このために、図７Ｂによるクランプ装置８は、ラッチ／グリップフック１２が２つのエッジＲのうちの１つでラッチ／グリップフック１２によって成形された接触斜面３８と接触するように、支持レール１０に配置される。その後、接触斜面３８を介してラッチ／グリップフック１２に印加されるバネ装置３６のバネ力Ｆに打ち勝つのに十分な接触圧力Ｂを印加することによって、ラッチ／グリップフック１２は予応力に対抗して開放位置に押圧され得る。こうしてラッチ／グリップフック１２は、バネ装置３６の復元力の結果として、支持レール１０のエッジＲを通過し、その後、支持レール１０のエッジＲの後に係合することができる。このようにして、垂線方向Ｎに沿ってまっすぐに支持レール１０にモジュール２を押すことによるその取付は、工具を用いずに可能である。
【００４１】
図８に示されるように、クランプ装置８の別の形態における力偏向機構１４は軸状の作動要素２８を有し、作動要素２８に、互いに反対に向いた２つの偏心カム７０によって、作動要素側偏向プロファイル３０が形成される。作動要素２８をねじることにより、偏心カム７０は、変位力ＶＦによって広げられて変位部１６に保持されたラッチ／グリップフック１２（図示せず）が開放位置または固定位置に移動されるよう、図２から図５による形態と一致するフック側変位部１６の２つの接触面２６と摺動接触ＧＫさせられることが可能である。
【００４２】
作動要素２８のねじり可能な形態は別として、このような力偏向機構の機能は、図６および図７による形態の機能に対応する。
【００４３】
図１から図７または図８によるモジュール２の形態において、力偏向機構１４の発展が提供可能であり、これにより、示された機能の代替として、モジュール２を作動要素２８に圧力を印加することによって固定位置から開放位置（図示せず）まで移動させることができる。
【００４４】
図９は、ハウジング４に直線案内手段１００が設けられた、積み重ね可能なモジュール２の別の形態を示す。これらの直線案内手段１００によって、クランプ装置８に対してまたは２つのラッチ／グリップフック１２の間の開放間隙１１に対して垂直な、直線案内方向ＬＦに沿った２つのモジュール２の相互移動が可能である。
【００４５】
このために、直線案内手段１００は、直線案内方向ＬＦに沿って各々伸長する、対になって配置された案内プロファイル１０２を有する。また、ハウジング４２の両側面の、案内プロファイル１０２から離れる方向に向いた一方には、対になって配置された案内ホルダ１０４が設けられている。これらの案内ホルダ１０４は、図１０Ａおよび図１０Ｂに示されるように、別の積み重ね可能なモジュール２の案内プロファイル１０２を案内して受容できるようなサイズおよび形状になっている。
【００４６】
これに関連して、案内プロファイル１０２は、直線案内方向ＬＦに対して垂直に柔軟に旋回可能な案内エッジ１０６を有するように形成され得る（図９参照）。
【００４７】
図１１Ａに示されるように、こうして第１のモジュール２は、たとえば矢印Ｓによって示されるように、支持レール１０にすでに固定されている第２のモジュール２の後に押し込まれることが可能である。これに関連して、外れているモジュール２の案内プロファイル１０２は、固定されたモジュール２の案内ホルダ１０４と係合し、案内ホルダ１０４によって正確に直線案内方向ＬＲに、支持レール１０に対して垂直に案内される。図１１Ｂに示されるように、外れているモジュール２のクランプ装置８が支持レール１０に強固にクランプするまで、外れているモジュール２はその後ずっと直線案内方向ＬＦに移動される。
【００４８】
案内プロファイル１０２が柔軟に旋回可能な案内エッジ１０６を有して形成される場合、図１２Ａ、図１２Ｂに示されるように、積み重ね可能なモジュール２が支持レール１０に固定される前または後に２つの積み重ね可能なモジュール２を互いに係合させることもまた、可能である。このために、２つのモジュール２は、図１２Ａの矢印Ｄによって示されるように、側方から互いに対して押しつけられる。一方のモジュール２の関連する案内プロファイル１０２が他方のモジュール２のハウジング４と接触するとすぐに、案内プロファイル１０２は広げられ、その後他方のモジュール２の関連する案内ホルダ１０４内にラッチ留めされる。これに応じて、モジュール２はその後、図１２Ｂによる完全な取付位置を取る。
【００４９】
上述の取付プロセスの両方で２つのモジュール２間における電気的／電子的接触を保証するために、２つのモジュール２はハウジング４の両方の接触側面ＡＳに接触手段１０８を有することができる、これらはバネ受け（バネベアリング）であってもよい。その結果、直線案内方向ＬＦおよび垂直方向の両方で、２つのモジュール２の間における電気的／電子的接触が確立できる。
【００５０】
尚、上述の発明による様々な形態の要素および特徴の全ては、その置き換えまたは組み合わせが技術的な理由により除外されなければ、単独でまたは組み合わせて置き換えまたは組み合わせが可能であることは、指摘されるべきである。 
【手続補正２】
【補正対象書類名】特許請求の範囲
【補正対象項目名】全文
【補正方法】変更
【補正の内容】
【特許請求の範囲】
【請求項１】
電気／電子部品（６）を保持するために設けられたハウジング（４）と、支持レール（１０）に取り付けるためのクランプ装置（８）とを備える積み重ね可能なモジュール（２）であって、
前記クランプ装置（８）は２つのラッチ／グリップフック（１２）を有し、前記２つのラッチ／グリップフック（１２）は開放位置と固定位置との間で互いに反対方向に変位可能であり、
前記開放位置と前記固定位置との間で前記ラッチ／グリップフック（１２）を調整するための力偏向機構（１４）であって、作動要素（２８）によって作動可能であり、外側からの作動力（ＳＦ）を受けることが可能である、力偏向機構（１４）をさらに備え、
前記ラッチ／グリップフック（１２）は、前記支持レール（１０）への固定および解除のため、提供された支持レールの大きさ（ＬＴ）よりも、前記開放位置では大きく、前記固定位置では小さい、自由開放距離（ｆＯ）を画定する、
積み重ね可能なモジュール（２）において、
前記力偏向機構（１４）は、作動要素側偏向プロファイル（３０）およびフック側変位部（１６）を有し、前記フック側変位部（１６）はフック側変位を生じるために変位力（ＶＦ）によって変形可能な変形部分（２０）を有し、前記偏向プロファイル（３０）と前記変形部分（２０）との間には、摺動接触（ＧＫ）が形成可能であり、前記摺動接触（ＧＫ）で前記変形部分（２０）は前記偏向プロファイル（３０）を介して前記変位力（ＶＦ）を受けることができる、
ことを特徴とする積み重ね可能なモジュール。
【請求項２】
前記変形部分（２０）は、前記ラッチ／グリップフック（１２）に接続された前記変位部（１６）の、支持セクション（２２）と移動セクション（１８）との間に設けられていることを特徴とする、請求項１に記載のモジュール。
【請求項３】
前記移動セクション（１８）は直線的に案内されることを特徴とする、請求項２に記載のモジュール。
【請求項４】
前記変形部分（２０）は、対になって配置された変形要素によって形成され、前記変形要素の間の距離は前記偏向プロファイル（３０）によって変化させることができることを特徴とする、請求項１から請求項３のいずれか一項に記載のモジュール。
【請求項５】
前記力偏向機構（１４）は、各々フック側変位部（１６）と相互作用する２つの作動要素側偏向プロファイル（３０）を有し、前記２つの作動要素側偏向プロファイル（３０）は関連する前記摺動接触（ＧＫ）を介して互いに反対の変形力（ＶＦ）を受けることができることを特徴とする、請求項１から請求項４のいずれか一項に記載のモジュール。
【請求項６】
前記フック側変位部（１６）は各々、関連する前記ラッチ／グリップフック（１２）と一体形成されていることを特徴とする、請求項５に記載のモジュール。
【請求項７】
互いに対向する接触斜面（３８）が前記ラッチ／グリップフック（１２）に形成され、前記接触斜面（３８）を介して、前記開放位置において、前記固定位置の前記予応力と反対に、前記支持レール（１０）に対して前記ラッチ／グリップフック（１２）を押しつけることによって、前記ラッチ／グリップフック（１２）を広げることが可能であることを特徴とする、請求項５または６に記載のモジュール。
【請求項８】
前記フック側変位部（１６）は前記ハウジング（４）に配置されることを特徴とする、請求項１から請求項７のいずれか一項に記載のモジュール。
【請求項９】
前記作動要素（２８）は、少なくとも前記固定位置において前記ハウジング（４）の上側（３５）から突出する操作セクション（３３）を有することを特徴とする、請求項１から請求項８のいずれか一項に記載のモジュール。
【請求項１０】
前記作動要素（２８）は、前記操作セクション（３３）に沿って印加可能な前記作動力（ＳＦ）によって直線案内方向（ＦＲ）に沿って移動可能であることを特徴とする、請求項９に記載のモジュール。
【請求項１１】
前記作動要素（２８）は、前記操作セクション（３３）に印加されるトルクによって軸の周りでねじることが可能であることを特徴とする、請求項９に記載のモジュール。
【請求項１２】
直線案内手段（１００）が前記ハウジング（４）に設けられており、直線案内手段（１００）によって、前記ラッチ／グリップフック（１２）の前記開放距離（ｆＯ）に対して垂直な直線案内が可能になることを特徴とする、請求項１から請求項１１のいずれか一項に記載のモジュール。
【請求項１３】
前記案内手段（１００）は、直線案内方向（ＬＦ）に沿って延在する案内プロファイル（１０２）と、前記直線案内方向（ＬＦ）に沿って延在する案内ホルダ（１０４）とを有し、前記案内ホルダ（１０４）は、対応する案内手段（１００）を有する別のモジュール（２）の前記案内プロファイル（１０２）の案内されるハウジングのために形成されることを特徴とする、請求項１２に記載のモジュール。
【請求項１４】
前記案内プロファイル（１０２）は、前記直線案内方向（ＬＦ）に対して垂直に柔軟に移動する案内エッジ（１０６）を有することを特徴とする、請求項１３に記載のモジュール。
【請求項１５】
対になって配置された２つの案内プロファイル（１０２）および案内ホルダ（１０４）が前記ハウジング（４）に設けられていることを特徴とする、請求項１３または請求項１４に記載のモジュール。
【国際調査報告】
2019500835.tif 000020
2019500835.tif 000021
2019500835.tif 000022
2019500835.tif 000023